(57)【要約】【課題】ディスクの管理情報を１回だけ記録可能な光ディスク内の複数の管理領域に記録する方法を提供すること。【解決手段】追記型の記録媒体に管理情報を記録する装置であって、前記記録媒体は、記録媒体がファイナライズされるまで管理情報を格納するために使用される１または２以上の仮欠陥管理領域を備えるとともに、記録媒体がファイナライズされるときに使用される複数の最終欠陥管理領域を備え、該装置は、記録媒体に対してデータの書き込み／読み出しを行うよう構成されたピックアップと、前記ピックアップに操作可能に結合され、前記記録媒体の全ての仮欠陥管理領域が満杯になったときに前記記録媒体をファイナライズするよう構成されたマイクロコンピュータとを備えることを特徴とする装置。【選択図】図３
2010176835.tif 000002
【特許請求の範囲】
【請求項１】
追記型の記録媒体に管理情報を記録する装置であって、前記記録媒体は、記録媒体がファイナライズされるまで管理情報を格納するために使用される１または２以上の仮欠陥管理領域を備えるとともに、記録媒体がファイナライズされるときに使用される複数の最終欠陥管理領域を備え、該装置は、
記録媒体に対してデータの書き込み／読み出しを行うよう構成されたピックアップと、
前記ピックアップに操作可能に結合され、前記記録媒体の全ての仮欠陥管理領域が満杯になったときに前記記録媒体をファイナライズするよう構成されたマイクロコンピュータと
を備えることを特徴とする装置。
【請求項２】
前記記録媒体がファイナライズされるまで、前記マイクロコンピュータは、欠陥リスト情報を更新して最近発見された欠陥のある領域を反映するとともに、前記ピックアップを制御して更新された欠陥リスト情報を前記記録媒体の仮欠陥管理領域に記録し、更新された欠陥リスト情報は以前に発見された欠陥のある領域に関連する以前の欠陥エントリのそれぞれおよび最近発見された欠陥領域に関連する新しい欠陥リエントリを含むことを特徴とする請求項１に記載の装置。
【請求項３】
前記マイクロコンピュータは、ピックアップを制御して、更新された欠陥リスト情報に関連する位置情報を前記更新された欠陥リスト情報とともに前記仮欠陥管理領域に記録することを特徴とする請求項２に記載の装置。
【請求項４】
前記記録媒体をファイナライズするときに、前記マイクロコンピュータは、ピックアップを制御して、１または２以上の仮欠陥管理領域に記録された最新の欠陥リスト情報を最終欠陥管理領域に記録するとともに、ピックアップを制御して前記記録媒体に、前記記録媒体の全ての仮欠陥管理領域が満杯になったことを示す情報を記録することを特徴とする請求項２または３に記載の装置。
【請求項５】
前記記録媒体が単層の記録媒体である場合は、前記単層の記録媒体の最終の欠陥管理領域はそれぞれ３２クラスタのサイズを有し、それぞれが４クラスタのサイズを有する８つの記録部分に分割され、前記記録媒体が二層の記録媒体である場合は、前記二層の記録媒体の最終欠陥管理領域はそれぞれ６４クラスタのサイズを有し、それぞれが８クラスタのサイズを有する８つの部分に分割され、
前記マイクロコンピュータは、ピックアップを制御して、前記記録媒体をファイナライズするときに、最新の欠陥リスト情報を、記録部分の少なくとも１つに記録することを特徴とする請求項４に記載の装置。
【請求項６】
前記マイクロコンピュータは、ピックアップを制御して、最新の欠陥リスト情報を、前記最終欠陥管理領域の各々の２番目の８つの記録部分のうちの少なくとも１つに記録することを特徴とする請求項５に記載の装置。
【請求項７】
前記マイクロコンピュータは、ピックアップを制御して、最終欠陥管理領域に記録された最新の欠陥リスト情報に関連する位置情報を、最終欠陥管理領域の記録部分に記録することを特徴とする請求項５に記載の装置。
【請求項８】
前記ピックアップを制御して、ピックアップと記録媒体との間の間隔を維持するとともに、前記ピックアップを制御して、前記記録媒体のトラックを追跡するよう構成されたサーボと、
前記ピックアップに入力データを処理して供給し、前記記録媒体から読み出したデータを処理するよう構成されたデータ処理部と、
前記記録媒体に関連付けられたデータを格納するよう構成されたメモリとを備え、
前記マイクロコンピュータは、前記構成要素である、前記ピックアップ、前記サーボ、前記データ処理部、および前記メモリとに結合され、前記構成要素を制御して、全ての前記仮欠陥管理領域が満杯になったときに、前記装置が前記記録媒体をファイナライズするように構成されたことを特徴とする請求項５に記載の装置。
【請求項９】
前記マイクロコンピュータに操作可能に結合され、前記装置に備えられたインタフェースとデータ／コマンドを交換するよう構成されたホストをさらに備えることを特徴とする請求項８に記載の装置。
【請求項１０】
追記型の記録媒体からの管理情報を再生するための装置であって、前記記録媒体は、前記記録媒体がファイナライズされるまで管理情報を格納するために使用される１または２以上の仮欠陥管理領域を備えるとともに、前記記録媒体がファイナライズされる際に使用される複数の最終欠陥管理領域を備え、該装置は、
前記記録媒体からデータを読み出すよう構成されたピックアップと、
前記ピックアップに操作可能に結合され、前記ピックアップを制御して、前記記録媒体がファイナライズされた場合に、前記記録媒体の仮欠陥管理領域に記録された欠陥リスト情報を再生し、ピックアップを制御して、前記記録媒体がファイナライズされた場合に、前記記録媒体の最終欠陥管理領域に記録された欠陥リスト情報を再生するよう構成されたマイクロコンピュータとを備え、
前記記録媒体は、前記記録媒体の全ての仮欠陥領域が満杯になったときにファイナライズされる、ことを特徴とする装置。
【請求項１１】
追記型の記録媒体に管理情報を記録する方法であって、前記記録媒体は、前記記録媒体がファイナライズされるまで管理情報を格納するために使用される１または２以上の仮欠陥管理領域を備えるとともに、前記記録媒体がファイナライズされる際に使用される複数の最終欠陥管理領域を備え、該方法は、
前記記録媒体の全ての仮欠陥管理領域が満杯になったときに記録媒体をファイナライズするステップを含むことを特徴とする方法。
【請求項１２】
前記記録媒体がファイナライズされるまで、欠陥リスト情報を更新して、最近発見された欠陥領域を反映するステップと、更新された欠陥リスト情報を前記記録媒体の仮欠陥管理領域に記録するステップとを含み、前記更新された欠陥リスト情報は、以前に発見された欠陥領域に関連する以前と欠陥エントリのそれぞれおよび最近発見された欠陥領域に関連する新しい欠陥エントリを有する、ことを特徴とする請求項１１に記載の方法。
【請求項１３】
前記記録媒体をファイナライズするときに、１または２以上の仮欠陥管理領域に記録された最新の欠陥リスト情報を最終欠陥管理領域に記録するステップと、
前記記録媒体に、前記記録媒体の全ての仮欠陥管理領域が満杯になったことを示す情報を記録するステップとをさらに含む請求項１２に記載の方法。
【請求項１４】
前記記録媒体が単層の記録媒体である場合、前記単層の記録媒体の最終欠陥管理領域のそれぞれは３２クラスタのサイズを有し、それぞれが４クラスタのサイズを有する８つの記録部分に分割され、前記記録媒体が二層の記録媒体である場合は、前記二層の記録媒体の最終欠陥管理領域はそれぞれ６４クラスタのサイズを有し、それぞれが８クラスタのサイズを有する８つの部分に分割され、
前記最新の欠陥リスト情報を記録するステップは、前記記録部分の少なくとも１つに最新の欠陥リスト情報を記録する、ことを特徴とする請求項１３に記載の方法。
【請求項１５】
追記型の記録媒体からの管理情報を再生する方法であって、前記記録媒体は、前記記録媒体がファイナライズされるまで管理情報を格納するために使用される１または２以上の仮欠陥管理領域を備えるとともに、前記記録媒体がファイナライズされる際に使用される複数の最終欠陥管理領域を備え、該方法は、
前記記録媒体がファイナライズされていない場合に、前記記録媒体の仮欠陥管理領域に記録された欠陥リスト情報を再生するステップと、
前記記録媒体がファイナライズされる場合に、前記記録媒体の最終欠陥管理領域に記録された欠陥リスト情報を再生するステップと、
前記記録媒体の全ての仮欠陥管理領域が満杯となったときに、前記記録媒体がファイナライズされる、ことを特徴とする方法。
【請求項１６】
追記型の記録媒体であって、前記記録媒体は、前記記録媒体がファイナライズされるまで管理情報を格納するために使用される１または２以上の仮欠陥管理領域を備えるとともに、前記記録媒体がファイナライズされる際に使用される複数の最終欠陥管理領域を備え、
前記１または２以上の仮欠陥管理領域は、前記記録媒体内の全ての仮欠陥管理領域が満杯になったときに前記記録媒体がファイナライズされるまで、欠陥リスト情報を格納するよう適合される、ことを特徴とする記録媒体。
【請求項１７】
前記記録媒体がファイナライズされるまで、前記１または２以上の仮欠陥管理領域は、更新された欠陥リスト情報を格納して最近発見された欠陥領域を反映するよう適合され、
前記更新された欠陥リスト情報は、以前に発見された欠陥領域に関連する以前の欠陥エントリそれぞれおよび、最近発見された欠陥領域に関連する新しい欠陥エントリを有する、ことを特徴とする請求項１６に記載の記録媒体。
【請求項１８】
前記複数の最終欠陥管理領域のそれぞれは、前記記録媒体がファイナライズされるときに、１または２以上の仮欠陥管理領域に格納された最新の欠陥リスト情報のコピーを格納するよう適合されたことを特徴とする請求項１７に記載の記録媒体。
【請求項１９】
前記記録媒体が単層の記録媒体である場合に、前記単層の記録媒体の最終欠陥管理領域のそれぞれは３２クラスタのサイズを有し、それぞれが４クラスタのサイズを有する８つの記録部分に分割され、前記記録媒体が二層の記録媒体である場合は、前記二層の記録媒体の最終欠陥管理領域はそれぞれ６４クラスタのサイズを有し、それぞれが８クラスタのサイズを有する８つの部分に分割され、
前記記録部分の少なくとも１つは、前記記録媒体がファイナライズされるときに、最新の欠陥リスト情報を格納するよう適合されることを特徴とする請求項１８に記載の記録媒体。
【請求項２０】
追記型の記録媒体を管理する動作を実行するためのプログラムを記録したコンピュータ読み取り可能な記録媒体であって、前記追記型の記録媒体は、前記記録媒体がファイナライズされるまで、管理情報を格納するために使用される１または２以上の仮欠陥管理領域を備えるとともに、前記記録媒体がファイナライズされるときに使用される複数の最終欠陥管理領域を備え、該プログラムは、
前記記録媒体の全ての仮欠陥管理領域が満杯になったときに、前記記録媒体をファイナライズするステップを実現するようプログラムされていることを特徴とする記録媒体。
【請求項２１】
追記型の記録媒体を管理する操作を実行するためのプログラムであって、
前記追記型の記録媒体は、前記記録媒体がファイナライズされるまで、管理情報を格納するために使用される１または２以上の仮欠陥管理領域を備えるとともに、前記記録媒体がファイナライズされるときに使用される複数の最終欠陥管理領域を備え、該プログラムは、
前記記録媒体の全ての仮欠陥管理領域が満杯になったときに、記録媒体をファイナライズするステップを実行するようプログラムされたことを特徴とするプログラム。
【発明の詳細な説明】
【技術分野】
【０００１】
本発明は、１回だけ記録可能な光ディスクと管理情報の記録法方及び装置に関し、特に、１回だけ記録可能な光ディスクにおいて管理情報を効率的に記録する方法及び装置に関するものである。
【背景技術】
【０００２】
光記録媒体として大容量のデータが記録可能な光ディスクが広く使用されている。その中、近年では、高画質のビデオデータと高音質のオーディオデータを長時間記録し、格納することができる新しい高密度光記録媒体（ＨＤ−ＤＶＤ）、例えば、ブルーレイディスク（Ｂｌｕ−ｒａｙ  Ｄｉｓｃ）が開発されている。
【０００３】
次世代ＨＤ―ＤＶＤ技術であるブルーレイディスク（Ｂｌｕ−ｒａｙ  Ｄｉｓｃ）は、既存のＤＶＤを遥かに超える容量のデータを格納することができる次世代光記録ソリューションである。ブルーレイディスクは、６５０ｎｍ波長の赤色レーザーを使用する現在のＤＶＤに比べて高い密度を有する４０５ｎｍ波長の青紫色レーザーを使用する。また、ブルーレイディスクは、厚さ１．２ｍｍ、直径１２ｃｍを有し、０．１ｍｍの光透過層を有するため、現在のＤＶＤに比べて遥かに大量のデータを格納することができる。
【０００４】
ブルーレイディスクに関する各種の標準案が設けられ、書き換え可能なブルーレイディスク（ＢＤ−ＲＥ）及び１回だけ記録可能なブルーレイディスク（ＢＤ−ＷＯ）に関する標準案が開発されつつある。
【０００５】
図１は、書き換え可能なブルーレイディスク（ＢＤ−ＲＥ）の記録領域の構造を示している。同図に示したように、ＢＤ−ＲＥは、リードイン領域（Ｌｅａｄ−Ｉｎ  Ａｒｅａ）と、データ領域（Ｄａｔａ  Ａｒｅａ）、及びリードアウト領域（Ｌｅａｄ−Ｏｕｔ  Ａｒｅａ）とに区画される記録層を含んでいる。また、データ領域内には、ユーザーデータを記録するユーザーデータ領域と、ディスクのインナー・トラック（ｉｎｎｅｒ  ｔｒａｃｋ）及びアウター・トラック（ｏｕｔｅｒ  ｔｒａｃｋ）にそれぞれ割り当てられたインナー・スペア領域（ＩＳＡ０）とアウター・スペア領域（ＯＡＳ０）が備えられている。前記スペア領域は、リニア・リプレースメント（ｌｉｎｅａｒ  ｒｅｐｌａｃｅｍｅｎｔ）方式によりユーザーデータ領域内の欠陥領域内のデータを代替記録する代替領域として活用される。
【０００６】
書き換え可能なブルーレイディスク（ＢＤ−ＲＥ）では、データを記録する途中にユーザーデータ領域から欠陥領域が検出されると、前記欠陥領域に記録されたデータをスペア領域へと移記する動作を行う。また、欠陥領域を管理するための欠陥管理情報として、欠陥領域及び代替記録された領域などに関する位置などの情報をリードイン及びリードアウト領域に備えられた欠陥管理領域（ＤＭＡ１〜ＤＭＡ４）に記録する。なお、ＢＤ−ＲＥ内のいずれの領域にも繰り返し記録したり、消去したりすることが可能であるため、特に記録方式に拘ることなく、ランダムにディスクの全域を使用することができるようになる。
【０００７】
これに対し、１回だけ記録可能なディスク（ＢＤ−ＷＯ）では、ディスクの特定領域への記録が１回だけ可能であることから、記録方式に多くの制約が伴い、特に、ディスクの全域に対するランダムな使用は、事実上、欠陥管理が難しいために困難である。
【０００８】
また、ＢＤ−ＷＯでは、特にデータを記録する時における欠陥領域の管理も重要な事案の一つとされている。しかしながら、ＢＤ−ＷＯは、未だ開発の初期段階であって、ＢＤ−ＷＯの商業的活用可能性のために必要とされるＢＤ−ＷＯ上の欠陥領域を如何に管理し、また如何にＢＤ―ＷＯ上に管理情報を記録するかについての体系化した構成（ｓｃｈｅｍｅ）や、ディスク構造、装置及び方法が設けられていないのが実状である。
【０００９】
従って、ＢＤ−ＷＯのための上述した要求事項を満たし得る統一した規格が必要であるが、現在提案されている書き換え可能な光ディスク（ＢＤ−ＲＥ）に関する規格の何れにおいてもこれを解決できていないのが実状である。
【発明の概要】
【発明が解決しようとする課題】
【００１０】
本発明は、前記のような従来技術の制限及び不合理な面に起因する多くの問題点を実質的に解決するためのものであって、その目的は、ディスクの管理情報を１回だけ記録可能な光ディスク内の複数の管理領域に記録する方法を提供することにある。
【００１１】
本発明の更なる目的及び特長は、後述する実施例と請求の範囲及び図面により具体化し、達成可能な構造になる。
【課題を解決するための手段】
【００１２】
上記目的を達成するための本発明に係る１回だけ記録可能な記録媒体における管理情報の記録方法は、仮欠陥管理領域（ＴＤＭＡ）と最終欠陥管理領域（ＤＭＡ）を備えた１回だけ記録可能な光記録媒体における管理情報を記録する方法において、記録媒体の使用中に生成された管理情報をＴＤＭＡ上に記録するステップと、記録媒体のＤＭＡフィルインの時点で、前記ＴＤＭＡの最新の管理情報をＤＭＡ内へと移記するステップと、を含んでいることを特徴とする。
【００１３】
本発明に係る１回だけ記録可能な記録媒体における他の管理情報の記録方法は、仮欠陥管理領域（ＴＤＭＡ）と最終欠陥管理領域（ＤＭＡ）を備え、前記ＤＭＡが、欠陥リスト情報を格納する欠陥リスト領域を備えた１回だけ記録可能な光記録媒体における管理情報を記録する方法において、仮に、記録媒体における欠陥管理（ＤＭ）を行わない場合、ＤＭＡの欠陥リスト領域内に予め決められた値を設定するステップと、記録媒体の使用中に生成された管理情報をＴＤＭＡ上に記録するステップと、記録媒体が終了する時点で、前記ＴＤＭＡの最新の管理情報をＤＭＡ内へと移記するステップと、を含んでいることを特徴とする。
【００１４】
本発明に係る１回だけ記録可能な記録媒体における管理情報の記録装置は、仮欠陥管理領域（ＴＤＭＡ）と最終欠陥管理領域（ＤＭＡ）を備えた１回だけ記録可能な光記録媒体における管理情報を記録する装置において、記録媒体の使用中に生成された管理情報をＴＤＭＡ上に記録する手段と、記録媒体のＤＭＡフィルインの時点で、前記ＴＤＭＡの最新の管理情報をＤＭＡ内へと移記する手段と、を含んでいることを特徴とする。
【００１５】
本発明に係る１回だけ記録可能な記録媒体における他の管理情報の記録装置は、仮欠陥管理領域（ＴＤＭＡ）と最終欠陥管理領域（ＤＭＡ）を備え、前記ＤＭＡが、欠陥リスト情報を格納する欠陥リスト領域を備えた１回だけ記録可能な光記録媒体における管理情報を記録する装置において、仮に、記録媒体における欠陥管理（ＤＭ）を行わない場合、ＤＭＡの欠陥リスト領域内に予め決められた値を設定する手段と、記録媒体の使用中に生成された管理情報をＴＤＭＡ上に記録する手段と、記録媒体が終了する時点で、前記ＴＤＭＡの最新の管理情報をＤＭＡ内へと移記する手段と、を含んでいることを特徴とする。
【００１６】
本発明に係る１回だけ記録可能な記録媒体は、管理情報を記録する１回だけ記録可能な光記録媒体において、仮欠陥管理領域（ＴＤＭＡ）と最終欠陥管理領域（ＤＭＡ）を備えた少なくとも一つの記録層を含み、記録媒体の使用中に生成された管理情報をＴＤＭＡ上に記録し、記録媒体のＤＭＡフィルインの時点で、前記ＴＤＭＡの最新の管理情報をＤＭＡ内へと移記することを特徴とする。
【００１７】
本発明に係る他の１回だけ記録可能な記録媒体は、管理情報を記録する１回だけ記録可能な光記録媒体において、仮欠陥管理領域（ＴＤＭＡ）と最終欠陥管理領域（ＤＭＡ）を備えた少なくとも一つの記録層を含み、前記ＤＭＡが、欠陥リスト情報を格納する欠陥リスト領域を備え、仮に、記録媒体における欠陥管理（ＤＭ）を行わない場合、ＤＭＡの欠陥リスト領域内に予め決められた値を設定し、記録媒体の使用中に生成された管理情報をＴＤＭＡ上に記録し、記録媒体が終了する時点で前記ＴＤＭＡの最新の管理情報をＤＭＡ内へと移記することを特徴とする。
【００１８】
前記本発明に係る前述した課題を解決するための手段と後述する実施例は、本発明を説明するための一つの典型的で例示的な例として理解すべきである。
【図面の簡単な説明】
【００１９】
【図１】一般の単層ＢＤ−ＲＥの構成を概略的に示す図である。
【図２】本発明に係る光記録再生装置を示すブロック図である。
【図３】本発明に係る１回だけ記録可能な光ディスクであって単層ＢＤ−ＷＯの構造を示す図である。
【図４】本発明に係るＢＤ−ＷＯのディスク管理情報の記録方法と、書き換え可能なディスクでのＤＤＳ構造と、ＢＤ−ＷＯでのＴＤＤＳ構造を例を挙げて示す図である。
【図５】本発明に係る１回だけ記録可能な光ディスクであって別の単層ＢＤ−ＷＯの構造を示す図である。
【図６ａ】本発明の実施例に係る単層ＢＤ−ＷＯのＤＭＡ構造を例を挙げて示す図である。
【図６ｂ】本発明に係る図６ａのＤＭＡ構造と、ＴＤＭＡ構造、及びＴＤＭＡからＤＭＡへとデータを移記する方法を示す図である。
【図６ｃ】本発明の実施例に係る二層ＢＤ−ＷＯのＤＭＡ構造を例を挙げて示す図である。
【図７】本発明の第１の実施例に係るＤＭＡフィルイン（ｆｉｌｌ−ｉｎ）プロセスに関わるタイミング、コンテンツ、位置情報をテーブルで例を挙げて示す図である。
【図８】本発明の第２の実施例に係るＤＭＡフィルイン（ｆｉｌｌ−ｉｎ）プロセスに関わるタイミング、コンテンツ、位置情報をテーブルで例を挙げて示す図である。
【図９ａ】本発明の第３の実施例に係るＤＭＡフィルイン（ｆｉｌｌ−ｉｎ）プロセスに関わるタイミング、コンテンツ、位置情報をテーブルで例を挙げて示す図である。
【図９ｂ】図９ａに適用される前記ＤＭＡを例を挙げて示す図である。
【図１０】本発明に係るＤＭＡ内のＤＤＳセクション内にＤＤＳ情報の一部としてＴＤＤＳ／ＤＤＳ状態フラグ値を記録する一例を示す図である。
【発明を実施するための形態】
【００２０】
以下、図面を参照して本発明の実施形態を詳細に説明する。なお、全図面において同一の図面符号は、同一の要素を示す。
【００２１】
図２は、本発明に係る光ディスクの記録再生装置２０について示したブロック図である。光ディスクの記録再生装置２０は、記録媒体２１にデータを記録したり記録媒体からデータを読み込むピックアップ２２と、ピックアップを制御し、ピックアップの対物レンズと記録媒体２１との間隔を一定に保持し、記録媒体２１上のトラックをトラッキングサーボし一定に保持するサーボ２３と、ピックアップで読み込んだ信号を処理したり、記録のためにピックアップに入力すべき信号を信号処理するデータプロセッサ２４と、外部ホスト３０とのデータ及び／またはコマンドをやり取りするインターフェイス２５と、記録媒体２１に関する欠陥管理データ（例えば、仮管理情報など）を含む情報とデータを格納するメモリまたはストレージ２７と、記録再生装置２０の各構成要素の動作を制御するマイコンまたは制御部２６と、を含む。記録媒体２１に記録したり、記録媒体２１から読み込んだデータは、メモリ２７に格納される。また、光記録再生装置２０内の全ての構成要素は、連動可能に相互接続されており、前記記録媒体２１は、ＢＤ−ＷＯのような１回だけ記録可能な記録媒体である。
【実施例】
【００２２】
本発明に係る全ての方法とディスク構造は、前記図２に示した光記録再生装置２０または別の適宜の装置及びシステムにより実現される。  例えば、前記マイコン２６は、ディスク構造の割り当てを制御する場合や記録媒体上への管理情報の記録を制御する場合、更に、記録媒体上の仮領域（例えば、ＴＤＭＡ）から最終領域（例えば、ＤＭＡ）への管理情報の移記を制御する場合に活用可能である。ＴＤＭＡ及びＤＭＡの詳細は後述する。
【００２３】
本発明の実施例に係るＢＤ−ＷＯのような１回だけ記録可能な光ディスクのための管理情報の記録方法について、図面を参照して詳しく説明する。説明の便宜上、１回だけ記録可能なブルーレイディスク（ＢＤ−ＷＯ）を例に挙げて説明し、本明細書では、ＢＤ−ＷＯの二つのタイプ（単層ＢＤ−ＷＯ及び二層ＢＤ−ＷＯ）に対して述べることにする。前記単層ＢＤ−ＷＯは、一つの記録層を有し、前記二層ＢＤ−ＷＯは、二つの記録層を有している。
【００２４】
図３は、本発明に係る１回だけ記録可能な光記録媒体であって、単層ＢＤ−ＷＯの構造を示した図である。同図に示したように、ＢＤ−ＷＯは、一つの記録層上に割り当てられたリードイン領域、データ領域、リードアウト領域を含む。リードイン領域及びリードアウト領域のそれぞれは、欠陥管理のためのＤＭＡ情報を格納する複数の欠陥管理領域（ＤＭＡ１とＤＭＡ２；ＤＭＡ３とＤＭＡ４）を含んでいる。それぞれのＤＭＡ１〜４は、固定された大きさ、例えば、３２クラスタを有し、一般に、欠陥管理の重要性からそれぞれのＤＭＡには同一の情報が記録される。従って、仮にＤＭＡのいずれかに欠陥があるとしても別のＤＭＡにアクセス可能であり、これにより欠陥管理情報が得られるようになる。
【００２５】
一般に、ＢＤ−ＲＥでは、ＤＭＡに記録されるデータを繰り返し記録したり、または消去したりすることができるため、所定のクラスタ数を超えるＤＭＡが要求されることがない。しかし、本発明のようなＢＤ−ＷＯでは、ＤＭＡに記録されるデータを繰り返し記録したり、または消去したりすることができないため、欠陥管理のためには多くのクラスタ数を有するＤＭＡが要求される。
【００２６】
図３に示したように、前記リードイン領域は、欠陥管理情報を仮格納するための仮欠陥管理領域（ＴＤＭＡ１）を更に備えている。前記データ領域は、インナー・スペア領域（ＩＳＡ０）、ユーザーデータ領域、及びアウター・スペア領域（ＯＳＡ０）を含んでいる。前記ＩＳＡ０とＯＳＡ０の全体または一部は、前記ユーザーデータ領域内の欠陥領域をリニア・リプレースメント方式により代替するための代替領域として使用される。例えば、ユーザーデータ領域にデータを記録する途中にユーザーデータ領域内から欠陥領域が検出されると、前記欠陥領域に記録された、または記録すべきデータをリニア・リプレースメント方式によりスペア領域（即ち、ＩＳＡ０またはＯＳＡ０）に代替記録する。アウター・スペア領域（ＯＳＡ０）は、仮欠陥管理領域（ＴＤＭＡ２）を含んでいる。以下、前記ＴＤＭＡ１及び／またはＴＤＭＡ２に仮格納される欠陥管理情報をＴＤＭＡ情報という。
【００２７】
一実施例として、前記ＴＤＭＡ１は、リードイン領域内に固定された大きさにて割り当てられるのに対し、前記ＴＤＭＡ２は、アウター・スペア領域（ＯＳＡ０）内にスペア領域の大きさに連動する可変的な大きさにて割り当てられる。例えば、仮にＯＳＡ０の大きさがＮ×２５６クラスタ（Ｎ＞０、Ｎ＝整数）だとすれば、前記ＴＤＭＡ２の大きさは、Ｐ＝（Ｎ×２５６）／４クラスタになる。
【００２８】
一つの例として、同一の情報をＴＤＭＡ１とＴＤＭＡ２にそれぞれ記録することが可能であるが、他の例として、ＴＤＭＡ１とＴＤＭＡ２にＴＤＭＡ情報を連続して記録することも可能である。欠陥領域のデータをスペア領域に代替記録する間、ＴＤＭＡ情報が生成され（例えば、マイコンの制御下で）、ＴＤＭＡ１及び／またはＴＤＭＡ２に記録される。また、前記ＴＤＭＡは、周期的に或いは必要に応じてアップデートされる。ＢＤ−ＷＯが終了するか、または他の理由によりＤＭＡフィルインになると、仮記録したＴＤＭＡ情報（最新バージョン）をＤＭＡ１〜ＤＭＡ４のいずれか一つ、または全部へと移記する。前記移記過程の詳細については、後述することにする。
【００２９】
前記ＴＤＭＡ１とＴＤＭＡ１に記録されたＴＤＭＡ情報は、仮欠陥リスト（ＴＤＦＬ）情報と、仮ディスク定義構造（ＴＤＤＳ）情報を含んでいる。実施例として、前記ＴＤＦＬ情報は、少なくとも一つのＴＤＦＬ（ＴＤＦＬ＃１〜ＴＤＦＬ＃ｎ）を含み、それぞれのＴＤＦＬは、少なくとも一つの欠陥領域とこれに対応する代替領域を指定する欠陥エントリを含んでおり、それぞれの欠陥エントリは、ユーザーデータ領域内の欠陥領域に関する位置情報と、これに対応する代替領域に関する位置情報を含んでいる。例えば、データをＢＤ−ＷＯ上に記録する途中で、仮にユーザーデータ領域内から欠陥領域が検出されると、欠陥領域に記録された、または記録すべきデータをリニア・リプレースメント方式によりスペア領域（例えば、ＩＳＡ０またはＯＳＡ０）の一部分（代替領域）に記録する。次いで、前記欠陥領域と代替領域に関する情報及びこれらの関連性についての情報がＴＤＦＬ内の欠陥エントリとして示される。即ち、欠陥エントリ情報内には、欠陥領域の第１番目の物理的セクタ番号と、欠陥領域に対応する代替領域の第１番目の物理的セクタ番号、及びその他、欠陥管理のための前記欠陥に関する情報が記録される。
【００３０】
実施例として、ＴＤＭＡ１〜ＴＤＭＡ２に記録される前記ＴＤＤＳ情報は、少なくとも一つのＴＤＤＳ（ＴＤＤＳ＃１〜ＴＤＤＳ＃ｎ）を含む。それぞれのＤＤＳは、固定された大きさ（例えば、１クラスタ）を有し、ＴＤＦＬの位置情報を含んでおり、ＴＤＤＳへのアクセスによりＴＤＦＬの位置を早く見つけることが可能である。前記位置情報は、ＴＤＤＳパート（ＴＤＤＳ  ｐａｒｔ）といわれる１クラスタのセクタ０（Ｓｅｃｔｏｒ０）の一部分に記録される。関連して、１クラスタは、３２セクタから構成され、１セクタは、２０４８バイトを有する。単に例として、前記ＴＤＤＳパートは、少なくとも一つの物理的セクタを含み、それぞれの物理的セクタは、ＢＤ−ＷＯ上のＴＤＦＬの位置情報とその他のＴＤＦＬ情報に関する情報を含んでいる。
【００３１】
更にまた、それぞれのＴＤＤＳは、記録モード情報（ＲＭ；ｒｅｃｏｒｄｉｎｇ  ｍｏｄｅ  ｉｎｆｏｒｍａｔｉｏｎ）とディスク使用管理（ｄｉｓｃ  ｕｓａｇｅ  ｍａｎａｇｅｍｅｎｔ）情報を含んでいる。前記記録モード情報は、ＢＤ−ＷＯの記録モードを識別する情報であって１クラスタのセクタ０の一部分に記録される。前記ディスク使用管理情報は、ＢＤ−ＷＯ内の記録領域の状態を識別する情報であり、これは、少なくともトラック・インフォ（Ｔｒａｃｋ−Ｉｎｆｏ）またはスペース・ビットマップ情報（ＳＢＭ）とに区分される二つの形態のいずれかにて表すことができる。この構造については、図４を参照して後述することにする。
【００３２】
データの記録動作によりデータ領域内にデータを記録するに伴い、新たに検出される欠陥領域とこれに対応する代替領域に関する情報を反映するために前記ＴＤＭＡを周期的にアップデートする必要がある。毎回のＴＤＭＡのアップデート後には、以前のＴＤＭＡ情報と新規に生成されたＴＤＭＡ情報を含むＴＤＦＬと対応するＴＤＤＳがＴＤＭＡ内に記録される。そこで前記ＴＤＭＡに記録された最新のＴＤＦＬとＴＤＤＳが最新のＴＤＭＡ情報を含むようになる。以降、ＢＤ−ＷＯが終了するか、またはＤＭＡへのフィルイン（ｆｉｌｌ−ｉｎ）の準備が終わると、前記最新のＴＤＤＳとＴＤＦＬが、ＤＭＡ１〜ＤＭＡ４のいずれかまたはいずれもに最終（または最新）の欠陥管理情報として移記される。
【００３３】
図４は、書き換え可能なディスクのＤＤＳ構造と、ＢＤ−ＷＯにおけるＴＤＤＳ構造を示し、本発明の実施例に係るＢＤ−ＷＯにおけるディスク管理情報の記録方法を示す図である。同図に示したように、一般の書き換え可能なディスクのＤＤＳは、単に６０バイト情報だけを含み、これは、１クラスタ全体の僅かな部分だけを用いてＤＤＳ情報を格納するということである。結果的に、ＤＤＳの余の部分は、全てゼロで埋められる。
【００３４】
これに対し、ＢＤ−ＷＯでは、ＴＤＤＳ領域の全体をＴＤＤＳ情報を記録するのに活用する。図３及び図４から分かるように、前記ＴＤＤＳパートは、記録モード情報（ＲＭ）を含み、ＴＤＤＳ情報として１クラスタのセクタ０に記録され、前記クラスタの余のセクタ１〜セクタ３１には、ディスク使用状態情報が格納される。また他の例として、前記ディスク使用状態情報をＴＤＤＳ内の先頭から３１個のセクタ（即ち、セクタ０〜セクタ３０）に記録し、記録モード情報を含むＴＤＤＳパート情報を最後の３２番目のセクタに記録してもよい。
【００３５】
前記記録モード情報は、本発明に係るＢＤ−ＷＯにおける複数の記録モードのタイプを表す。例えば、“００００  ００００”値は、連続記録モード（ｓｅｑｕｅｎｔｉａｌ  ｒｅｃｏｒｄｉｎｇ  ｍｏｄｅ）を意味し、“００００  ０００１”値は、ランダム記録モード（ｒａｎｄｏｍ  ｒｅｃｏｒｄｉｎｇ  ｍｏｄｅ）を意味するものとして使用することができる。なお、他の方式で表してもよいことは自明である。本発明に係るＢＤ−ＷＯに関する情報は、規格制定の過程を通じて、必要に応じて多様に決めればよい。
【００３６】
ディスク使用管理情報は、ディスクの使用状態に連動して可変する。ＢＤ−ＷＯにおける前記ディスク使用管理情報は、使用可能な（即ち、記録可能な）記録領域の開始位置を的確に見つけ出すために要求され、つまり、ＢＤ−ＷＯ上における記録済み領域と未記録領域とを区別するための情報として活用される。この点から前記ディスク使用管理情報は、ユーザーデータ領域内の記録済み領域と未記録領域の位置を表す情報といえる。
【００３７】
前述の如く、前記ディスク使用管理情報は、トラック・インフォまたはスペース・ビットマップ情報（ＳＢＭ）のいずれかである。前記トラック・インフォは、ＢＤ−ＷＯの連続記録モードで一般に使用され、前記スペース・ビットマップ情報（ＳＢＭ）は、ランダム記録モードで一般に使用される。これらの記録モードは、ＴＤＤＳ内の記録モード情報により指定された記録モードによって決められる。
【００３８】
従来の１回だけ記録可能な光ディスクでは、前記記録状態情報を、ＣＤ系列では‘トラック情報（ｔｒａｃｋ  ｉｎｆｏｒｍａｔｉｏｎ）’と称し、ＤＶＤ系列では‘Ｒｚｏｎｅ’、‘フラグメント（ｆｒａｇｍｅｎｔ）’、または‘レコーディング・レンジ（ｒｅｃｏｒｄｉｎｇ  ｒａｎｇｅ）’と称していたが、本発明では、記録状態情報として前記言及した様々な名称を統合し、これを‘トラック・インフォ（ｔｒａｃｋ−ｉｎｆｏ）’と称す。従って、‘トラック・インフォ’は、その名称に関係なく前記した意味として解釈されるものである。
【００３９】
実施例として、ＢＤ−ＷＯ上のトラックは、連続記録モードである時は、連続して使用されるため、前記トラック・インフォでＢＤ−ＷＯの記録領域の開始地点（位置）や記録領域の最後に記録された位置が識別できるようにする。即ち、トラック・インフォは、ＢＤ−ＷＯの記録領域内における次回使用可能な（即ち、記録可能な）部分の開始地点を示す情報である。
【００４０】
前記ＳＢＭは、‘０’及び‘１’値を用いてＢＤ−ＷＯにおける記録可能な領域の開始地点（位置）が識別できるようにしたものである。即ち、例えば、記録領域上の特定のクラスタ領域が既に記録済みの領域であれば、クラスタ領域単位毎に‘１’値を割り当てることでこれを表示する。また、仮に記録領域上の特定のクラスタ領域が未記録の領域であれば、クラスタ領域単位に‘０’値を割り当てることでこれを表示する。このような方式により、仮にＳＢＭ上において特定のクラスタに対し‘１’値が割り当てられたとすれば、当該クラスタは記録済みの領域であることを意味し、ＳＢＭ上において特定のクラスタに対し‘０’値が割り当てられたとすれば、当該クラスタは、未記録の領域であることを意味する。関連して、前記値の意味を逆にして使用したり、または他の値にて記録済み領域／未記録領域を識別できるようにしてもよいことは自明である。結果的に、前記ＳＢＭによれば、ランダム記録モードのディスクでも記録使用状態を表すことができる。
【００４１】
図５は、本発明の他の実施例であって、単層ＢＤ−ＷＯのような１回だけ記録可能な光ディスクの構造を示した図である。同図に示したＢＤ−ＷＯの構造は、図３に示したＢＤ−ＷＯの構造と同一であるが、図５では、前述したＴＤＤＳ情報内のＴＤＤＳパートがアップデート毎に記録されるという点で相違している。本例では、前記ディスク使用管理情報（Ｔｒａｃｋ−ＩｎｆｏまたはＳＢＭ）がＴＤＭＡ１のクラスタ内の先頭セクタ０〜３０に記録され、ＴＤＤＳパートは、当該クラスタのセクタ３１に記録される。他の例として、前記ＴＤＤＳパートを先頭セクタ０に記録し、前記ディスク使用管理情報（Ｔｒａｃｋ−ＩｎｆｏまたはＳＢＭ）をセクタ１〜３１に記録してもよい。
【００４２】
以下、図６ａ〜図１０を参照して、本発明に係るＴＤＭＡ情報をＴＤＭＡからＤＭＡへと移記する方法について説明する。このような移記過程を“ＤＭＡフィルイン（ｆｉｌｌ−ｉｎ）”ともいう。
【００４３】
図６ａは、本発明に係る単層ＢＤ−ＷＯのＤＭＡ構造を例示的に示した図である。図６ｂは、本発明に係るＤＭＡ構造（図６ａ）及びＴＤＭＡ構造とＴＤＭＡからＤＭＡへの移記方法を示したである。図６ａと図６ｂに示すＤＭＡは、図３に示したＤＭＡ１〜ＤＭＡ４のいずれかと同一である。
【００４４】
図６ａと図６ｂに示したように、前記ＤＭＡは、３２クラスタから構成され、クラスタ１〜４はＤＤＳ部分として指定され、クラスタ５〜３２は、ＤＦＬ部分として指定されている。ＢＤ−ＷＯのＤＭＡ内の全てのクラスタは、管理情報を記録するために指定された領域である。
前記“ＤＭＡフィルイン（ｆｉｌｌ−ｉｎ）”過程の間では、前記ＴＤＭＡ情報から最新のＴＤＤＳ情報がＤＭＡ内のクラスタ１〜４へとＤＤＳ情報としてそれぞれ移記される。例えば、ＴＤＤＳ情報内の最新のＴＤＤＳパート（Ｔ０）と最新のディスク使用管理情報（Ｔｒａｃｋ−ＩｎｆｏまたはＳＢＭ）（Ｄ０）がＤＭＡ内へと移記される。その結果、同一のＤＤＳ情報が４回繰り返しＤＭＡに記録される。ＴＤＭＡの最新のＴＤＦＬ情報も同じく、ＤＭＡのクラスタ５〜３２にＤＦＬ情報として移記される。関連して、ＤＭＡ情報が４クラスタずつ記録されるため、同一のＤＦＬ情報がＤＭＡ内において７回まで記録可能になる。実施例として、ＤＭＡのＤＤＳ部分に記録されたＴＤＤＳパートは、ＤＭＡ内のＤＦＬの位置を指定し、ＴＤＭＡ内のＴＤＦＬの位置を指定する必要はない。また、ＤＤＳ部分とＤＦＬ部分への同一の情報の繰り返し記録は、ＤＭＡ情報の損失をなくし、的確且つ完璧に毎回必要に応じてＤＭＡにアクセス可能にする。
【００４５】
図６ｃは、本発明の実施例に係る二層ＢＤ−ＷＯのＤＭＡ構造を例示的に示した図である。同図に示したように、二層ＢＤ−ＷＯの一つのＤＭＡは、第１の記録層（Ｌａｙｅｒ０）のＤＭＡパート（クラスタ１〜３２）と、第２の記録層（Ｌａｙｅｒ１）のＤＭＡパート（クラスタ３３〜６４）からなり、トラッキング方向（図示した矢印方向）に沿ってアクセスされる。同一のＤＤＳ情報は、ＤＭＡのクラスタ１〜８に繰り返し記録され、同一のＤＦＬ情報は、ＤＭＡのクラスタ９〜６４に最大７回まで繰り返し記録される。また、前記ＢＤ−ＷＯは、第１の記録層上にリードイン領域、データ領域、アウター・ゾーン領域を含み、第２の記録層上には、リードアウト領域、データ領域、アウター・ゾーン領域を含む。それぞれのデータ領域は、少なくとも一つのスペア領域とユーザーデータ領域を含む。第１の記録層のリードイン領域は、ＴＤＭＡと第１及び第２のＤＭＡを含む。第２の記録層のリードアウト領域は、別のＴＤＭＡと第１及び第２のＤＭＡを含む。関連して、例として、図６ｃに示した一つのＤＭＡは、前記第１の記録層及び第２の記録層における第１のＤＭＡを構成するか、または前記第１の記録層及び第２の記録層における第２のＤＭＡを構成することができる。追加のＤＭＡは、前記アウター・ゾーン領域に提供される。また、スペア領域には、追加のＴＤＭＡが含まれる。
【００４６】
単層ＢＤ−ＷＯと類似して、二層ＢＤ−ＷＯのリードイン領域及びリードアウト領域内のＴＤＭＡは、固定された大きさを有するのに対し、スペア領域内に割り当てられるＴＤＭＡは、スペア領域の大きさに連動する可変的な大きさを有するようになる。前述した単層ＢＤ−ＷＯでのＤＭＡとＴＤＭＡの構造及び使用方法は、二層ＢＤ−ＷＯのＤＭＡとＴＤＭＡに同一に適用される。
【００４７】
一つの実施例として、最新のディスク使用管理情報は、リードイン領域内の第１のＤＭＡの先頭部分に記録されるか、及び／またはリードアウト領域内のＤＭＡの先頭または末尾にそれぞれ記録される（これは、ディスクが一つの記録層を有するか、または複数の記録層を有するかによって決められる）。このような方式によりディスクのローディング初期にディスク使用管理情報へより速やかにアクセスすることが可能になる。更には、ディスク内の別の領域に同一の情報を繰り返し記録することによりデータの信頼性及びデータの保護が可能になる。
【００４８】
図７は、本発明の第１の実施例に係るＤＭＡフィルイン過程に関するタイミング、コンテンツ及びロケーション情報を説明するためのテーブルを示した図である。ＤＭＡフィルイン過程は、図３及び図５〜図６ｃに示したＢＤ−ＷＯの構造において適用可能であり、また他の好適なＢＤ−ＷＯの構造にも適用可能である。
【００４９】
図７を参照すれば、ＴＤＭＡ情報がＤＭＡへと移記されるタイミングは、ＢＤ−ＷＯが終了する時である。欠陥管理は、ＢＤ−ＷＯ上で行われる。結果として、ＢＤ−ＷＯの使用途中に生じたＴＤＭＡ情報をＴＤＭＡに記録し、ＢＤ−ＷＯが終了すると、前記ＴＤＭＡ内の最新のＴＤＭＡ情報をＤＭＡへと移記する。
【００５０】
終了する時点は、一般に、次の３通りに分けられる。第一は、ＢＤ−ＷＯ上に更なる記録領域が残っていない時であって、これは、ユーザーデータ領域への記録を完了したか、または更なる記録領域が残っていない時である。第二は、ＴＤＭＡ領域がフルになり更にＴＤＭＡ情報を記録することができない時である。即ち、これは、ＴＤＭＡ情報が記録可能なＴＤＭＡ領域の全てを使用した時に発生する。第三は、ユーザーがＢＤ−ＷＯの終了を要求する時である。即ち、これは、ユーザーデータ領域またはＴＤＭＡに使用可能な領域が残っていても、またはユーザーデータの記録が完了していなくてもユーザーまたはホストからの要求によりＢＤ−ＷＯが終了する時である。
【００５１】
前記３通りの全ての場合において、ＴＤＭＡからＤＭＡへと移記される情報（即ち、コンテンツ）は、ＴＤＭＡ内の最新のＴＤＤＳ情報及びＴＤＦＬ情報になる。ＴＤＭＡ内の前記最新のＴＤＤＳ情報及びＴＤＦＬ情報は、それぞれＤＭＡフィルイン過程の間にＤＭＡ内のＤＤＳ部分とＤＦＦ部分へと移記される。
【００５２】
図８は、本発明の第２の実施例に係るＤＭＡフィルイン過程に関するタイミング、コンテンツ及びロケーション情報を説明するためのテーブルを示した図である。ＤＭＡフィルイン過程は、図３及び図５〜図６ｃに示したＢＤ−ＷＯの構造において適用可能であり、また他の好適なＢＤ−ＷＯの構造にも適用可能である。
【００５３】
第２の実施例は、ＢＤ−ＷＯ上における欠陥管理（ＤＭ）を行わない状況に係る。ＢＤ−ＷＯにおける欠陥管理（ＤＭ）を行うか否かは、ＢＤ−ＷＯの初期化時に決められるか、またはユーザー或いはホストからの欠陥管理（ＤＭ）の実行を禁止するコマンドのようなファクターに基づき、別の時期に決められることもある。図８を参照すれば、仮に、ＢＤ−ＷＯにおける欠陥管理（ＤＭ）を行わないと決められると（例えば、ディスクの初期化時に）、ＤＭＡ内のＤＦＬ部分は、特定の値または表示などで予め設定される。これは、ＢＤ−ＷＯにおける欠陥管理（ＤＭ）を行わないことを表示する情報を意味したりもする。特に、ＢＤ−ＷＯにおける欠陥管理（ＤＭ）を行わない時は、ＡＶ（オーディオ／ビデオ）データをリアルタイム（ｒｅａｌ−ｔｉｍｅ）で記録する場合に可能である。関連して、ディスクの記録時に欠陥管理（ＤＭ）を行わないことに伴い、ＴＤＦＬが生成されず、従って、ＤＭＡのＤＦＬ部分には、予め設定された値または他の固定された表示を予め設定することができる。例として、欠陥管理（ＤＭ）を行わないことを表す前記予め設定された値は、ＢＤ−ＷＯが終了する以前（例えば、ディスクの初期化時）に予め設定する。前記時点でＤＭＡのＤＦＬ部分の全てをゼロ値に埋めることが可能である。また他の変形的例として、予め設定された値（例えば、ゼロ値）またはある別の表示をＴＤＭＡのＴＤＦＬ領域に設定し、以降、この値（即ち、ＴＤＦＬ情報）をＤＭＡフィルイン過程（即ち、ＢＤ−ＷＯが終了する時）の間におけるＤＭＡのＤＤＳ部分にＴＤＤＳ情報が移記される時に、ＤＭＡのＤＦＬ部分へと移記することも可能である。
【００５４】
第２の実施例における前記ＴＤＭＡ内のＴＤＤＳ情報をＤＭＡ内のＤＤＳ部分へと移記するＴＤＤＳ情報の移記過程は、図７に示した第１の実施例の場合と同一である。詳述すれば、ＢＤ−ＷＯにおける欠陥管理（ＤＭ）を行わないことを決めた後、ＢＤ−ＷＯが終了すると、その後、前記ＴＤＤＳ情報をＤＭＡ内のＤＤＳ部分へと移記する。図８に示したように、ＢＤ−ＷＯが終了する間には、即ち、更なる記録が不可能な第一の場合５０ａと、ＴＤＭＡがフルになる第二の場合５０ｂと、ユーザーが終了を要求する第三の場合５０ｃには、ＤＭＡフィルイン過程の一部分としてＤＭＡ内のＤＤＳ部分へとＴＤＭＡ内の最新のＴＤＤＳ情報が移記される。
【００５５】
例えば、仮に図８に示したＤＭＡフィルイン過程が図６ａに示したＤＭＡ構造に適用されるとすれば、前記ＤＭＡのクラスタ１〜４（ＤＤＳ部分）には、ＴＤＭＡ内の最新のＴＤＤＳ情報が４回繰り返し記録され、前記ＤＭＡのクラスタ５〜３２（ＤＦＬ部分）には、予め設定された値（例えば、ゼロ値）が格納される。
【００５６】
図９ａは、本発明の第３の実施例に係るＤＭＡフィルイン過程に関わるタイミング、コンテンツ及びロケーション情報を説明するためのテーブルを示した図である。ＤＭＡフィルイン過程は、図３及び図５〜図６ｃに示したＢＤ−ＷＯの構造において適用可能であり、また他の好適なＢＤ−ＷＯの構造にも適用可能である。
【００５７】
第３の実施例は、ＢＤ−ＷＯのユーザーデータ領域上への更なるデータの記録はできないものの、スペア領域とＴＤＭＡがフルでなければ欠陥管理（ＤＭ）を行い続ける状況に係る。仮に、ユーザーデータ領域上に更にデータを記録する領域がなくても（例えば、ユーザーデータ領域がフルになる場合）、スペア領域（例えば、ＩＳＡ０またはＯＳＡ０）とＴＤＭＡ（例えば、ＴＤＭＡ１、ＴＤＭＡ２）に記録可能な領域が残っていれば、その時点では、ＴＤＭＡ内の最新のＴＤＤＳ情報とＴＤＦＬ情報をＤＭＡの特定の領域へと移記し、以降、ＢＤ−ＷＯが終了すると、その時点でＴＤＭＡ内の最新のＴＤＤＳ情報とＴＤＦＬ情報をＤＭＡの別の特定の領域、即ち、ＤＭＡの残りの領域へと移記する。
【００５８】
図９ａを参照すれば、一実施例として、前記欠陥管理（ＤＭ）は、ＢＤ−ＷＯの再生中でも行われることを意味する。特に、仮にユーザーデータ領域上に更にデータを記録する領域がなくても（５０ｅ）、スペア領域とＴＤＭＡがフルではなく、記録可能な領域が残っていれば、その時点で（即ち、終了する前）ＴＤＭＡ内の最新のＴＤＭＡ情報をＤＭＡの一部の領域へと移記し、以降、ＢＤ−ＷＯが終了すると（５０ｂ、５０ｃ）、その時点でＴＤＭＡ内の最新のＴＤＭＡ情報をＤＭＡの残りまたは別の領域へと移記する。
【００５９】
関連して、ＢＤ−ＷＯの終了する時点は、図７に示す５０ｂ、５０ｃの場合と同様に２通りに分けられる。簡略に説明すれば、第一（５０ｂ）は、ＴＤＭＡがフルになるか、またはＴＤＭＡ情報が記録できない時であり、第二（５０ｃ）は、ユーザーからの要求によりＢＤ−ＷＯを終了する時である。
【００６０】
図９ｂは、図９ａに示示したＤＭＡフィルイン過程に適用可能なＤＭＡの構造を示した図である。同図に示したように、仮に“５０ｅ”のような状況が発生すれば、最新のＴＤＤＳ情報は、ＤＤＳ情報としてＤＭＡ内の２クラスタ（例えば、クラスタ１、クラスタ２）に記録され、最新のＴＤＦＬ情報は、ＤＦＬ情報としてＤＭＡ内の４クラスタ（例えば、クラスタ５〜８）に記録される。関連して、前記最新のＴＤＦＬ情報は、クラスタ５〜８に繰り返すことなく単に１回だけ記録される。以降、ディスクが終了すれば（５０ｂ、５０ｃ）、その終了する時点での最新のＴＤＤＳ情報は、ＤＤＳ情報としてＤＭＡ内の２クラスタ（例えば、クラスタ３、クラスタ４）に記録され、終了する時点での最新のＴＤＦＬ情報は、ＤＦＬ情報としてＤＭＡ内の残りの領域に記録される。例えば、同一のＴＤＦＬ情報が、クラスタ９〜３２に４クラスタずつ６回繰り返し記録される。この他にも、好適の変形的な方法が可能であることは自明である。
【００６１】
図１０は、本発明に係るＤＭＡのＤＤＳ部分内におけるＤＤＳ情報としてのＴＤＤＳ／ＤＤＳの状態フラグ（ｓｔａｔｕｓ  ｆｌａｇ）値に関わる例を示した図である。前記状態フラグは、本発明の各種の実施例に係る方法及びディスク構造のいずれもに適用可能である。この状態フラグは、ユーザー、ホスト、または他の機関へＢＤ−ＷＯ上に記録されるＴＤＤＳまたはＤＤＳ情報の状態を提供する。前記ＴＤＤＳまたはＤＤＳの状態フラグは、１バイトの大きさまたは適宜の他の大きさであってもよい。
【００６２】
例えば、本発明の前述した第１〜第３の実施例のそれぞれにおいて、ＤＭＡのＤＤＳ部分に記録されたＤＤＳ情報は、ＤＤＳ状態フラグを含む。類似して、ＴＤＭＡ内に記録されたＴＤＤＳ情報は、ＴＤＤＳ状態フラグを含む。相違する値を有する一つの状態フラグは、ＴＤＤＳとＤＤＳ情報の相違する記録状態を表すのに活用される。また、ＴＤＤＳ状態フラグとＤＤＳ状態フラグを分離し活用することも可能である。
【００６３】
図１０を参照すれば、仮に、ＴＤＤＳとＤＤＳ情報ともに同一の状態フラグを活用するとすれば、状態フラグ‘００００  ００００’は、ユーザーからの要求によりＢＤ−ＷＯが終了し（５０ｃ）、管理情報（例えば、ＤＤＳ情報）がＤＭＡ内に記録されたことを意味する。状態フラグ‘００００  １１１１’は、ユーザーデータ領域への更なる記録ができなくてＢＤ−ＷＯが終了し（５０ａ）、管理情報（例えば、ＤＤＳ情報）がＤＭＡ内に記録されたことを意味する。状態フラグ‘１１１１  ００００’は、ＴＤＭＡのフル（ｆｕｌｌ）によりＢＤ−ＷＯが終了し（５０ｂ）、管理情報（例えば、ＤＤＳ情報）がＤＭＡ内に記録されたことを意味する。状態フラグ‘１１１１  １１１１’は、ディスクの使用中にＴＤＭＡ内に管理情報（例えば、ＴＤＤＳ情報）が記録されたことを意味する。関連して、また他の好適な変形的使用または状態フラグ値の適用が可能であることは自明である。
【００６４】
以上、本発明の好適な実施例について図示し説明したが、本発明は、上述した実施例に限定されるものではなく、特許請求の範囲で請求する本発明の要旨と思想を逸脱することなく種々の変更、または変形的な使用が可能であることは、当該発明の属する技術分野の当業者にとっては自明であり、本発明の特許請求の範囲及びその均等な範囲内での変形的な使用は、本発明に属するものである。
【００６５】
また、添付した図面は、実施例と共に発明の理解を高めるためのものであって、発明内容の一部として含まれ、また、本発明の実施例及び概念を説明するために提供する。
【図１】
2010176835.tif 000003
【図２】
2010176835.tif 000004
【図３】
2010176835.tif 000005
【図４】
2010176835.tif 000006
【図５】
2010176835.tif 000007
【図６ａ】
2010176835.tif 000008
【図６ｂ】
2010176835.tif 000009
【図６ｃ】
2010176835.tif 000010
【図７】
2010176835.tif 000011
【図８】
2010176835.tif 000012
【図９ａ】
2010176835.tif 000013
【図９ｂ】
2010176835.tif 000014
【図１０】
2010176835.tif 000015